(57)【要約】【課題】再使用の電極チップ７０が装填された場合でも、電極チップが取出し口２２に向かって確実に移動し、取出し口に正確に位置する電極チップ用マガジン１を提供する。【解決手段】電極チップ７０を挿入できる収納孔１１を同一円周上に複数有するハウジング１０と、その円の中心を軸心としてハウジング１０に回動可能に取り付けられる表側部材５と、ハウジング１０と表側部材５とを連結して、その回動を一方向に付勢する付勢部材５０とを備え、かつ、表側部材５が、電極チップ７０の取出し口２２を備えるとともにハウジング１０の側に突出するストッパー２３を備え、ハウジング１０に、隣り合う収納孔１１を連通する連絡溝１２を形成し、連絡溝１２は、ストッパー２３の一部が連絡溝１２内を通過可能に形成され、先頭に位置する電極チップ７０をストッパー２３に当接させて、回動を停止させ取出し口２２に位置させる。【選択図】図２
2015120173.tif 000002
【特許請求の範囲】
【請求項１】
抵抗溶接機で用いる電極チップを交換するために、複数の交換用電極チップを収納するとともに所定の位置から順次取り出すことができる電極チップ用マガジンであって、
前記電極チップを挿入できる収納孔を同一円周上に複数有するハウジングと、
前記円の中心を軸心として前記ハウジングに回動可能に取り付けられる表側部材と、
前記ハウジングと前記表側部材とを連結して前記回動を一方向に付勢する付勢部材とを備え、
かつ、前記表側部材が、前記電極チップの取出し口を備えるとともに前記ハウジングの側に突出するストッパーを備え、
前記ハウジングに、隣り合う前記収納孔を連通する連絡溝を形成し、前記連絡溝は、前記ストッパーの一部が前記連絡溝内を通過可能に形成され、
前記方向の先頭に位置する電極チップを前記ストッパーに当接させることによって、前記回動を停止させるとともに、前記先頭の電極チップを前記取出し口に位置させることを特徴とする電極チップ用マガジン。
【請求項２】
前記連絡溝は円環状の溝であり、その中心軸は、前記ハウジング及び前記表側部材の回転軸と同軸であることを特徴とする請求項１に記載の電極チップ用マガジン。
【請求項３】
前記ハウジングが前記円周上に係止部を備え、最後に位置する電極チップが取り出されたときに、前記係止部を前記ストッパーに当接させることによって、前記回動を停止させることを特徴とする請求項１又は２に記載の電極チップ用マガジン。
【請求項４】
抵抗溶接機で用いる電極チップを交換するために、複数の交換用電極チップを収納して固定装置に取り付けられる電極チップ用マガジンであって、
前記電極チップが同一円周上に複数装填されるハウジングと、前記ハウジングを挟んで位置する表側部材及び裏側部材を備え、
前記表側部材、前記裏側部材又は前記固定装置の少なくとも一つにガイド部材を設け、前記表側部材及び前記固定装置又は前記裏側部材及び前記固定装置の少なくとも一方にロック部材を備えることにより、前記固定装置の所定の位置に固定させることを特徴とする電極チップ用マガジン。
【請求項５】
前記ロック部材は、付勢係合部材と係合溝からなることを特徴とする請求項４に記載の電極チップ用マガジン。
【発明の詳細な説明】
【技術分野】
【０００１】
本発明は、抵抗溶接機で用いる電極チップを交換するために、複数の交換用電極チップを収納する電極チップ用マガジンに関する。
【背景技術】
【０００２】
金属などのワークを接合する方式として抵抗溶接が知られている。この抵抗溶接にて用いられる溶接ガンとしては、対向して設けられる一対の電極チップを備えるＣ型やＸ型の溶接ガンや、シリーズ溶接やインダイレクト溶接などのワークの片側から溶接電極を押し当てる片側溶接ガンなどがある。
【０００３】
この抵抗溶接は、アームの先端にシャンクを介して設けられた電極チップをワークに押し当てて、加圧状態で電流を流し、発生するジュール熱によってワークを溶融して接合する方法である。電極チップは使用するにつれて消耗したり表面が荒れたりするため、電極チップが消耗して使用限界まで達したときや、使用から一定期間が経過したときには、未使用または再研磨した電極チップと交換する必要がある。
【０００４】
溶接ガンに設けられた電極チップの交換は、生産ラインを止めることなく短時間に自動交換することが求められている。このため、溶接ロボットの近傍に、溶接ガンから電極チップを取り外すための電極チップ取り外し装置や、新しい電極チップを複数装填した電極チップ用マガジンなどが配置され、これらによって自動的に交換作業が行われている。
すなわち、電極チップの交換時期に達すると、溶接ガンはチップ取り外し装置に接近してシャンクから電極チップを取り外す作業を行わせる。次に、溶接ガンは電極チップ用マガジンに接近して、所定の位置にある電極チップにシャンクの先端を差し込むことにより、新しい電極チップをシャンクに嵌合させている。特許文献１には、チップ取り外し装置の一例が記載されている。
【０００５】
図８（ａ）に電極チップの一例を示す。電極チップ７０は略円柱状であり、ワークに押し当てられる先端７１側が曲面で形成され、シャンクが差し込まれる元部７２側には挿入孔７３が形成されている。挿入孔７３とシャンクの先端は、ともにテーパ面に形成され、このテーパ面で嵌合するようになっている。
【０００６】
図９により特許文献２の電極チップ用マガジンについて説明する。（ａ）は電極チップ用マガジン８０の断面図であり、（ｂ）は天側カバー８１を取り外した状態での平面図である。
電極チップ用マガジン８０の内部には、円弧状の収納路９０が形成され、複数個の電極チップ７０を収納することができる。複数の電極チップ７０は、挿入孔７３のある元部７２を天側カバー８１に向けて互いに当接した状態で収納され、押圧ピース８３によって反時計回りに付勢されている。
【０００７】
押圧ピース８３は、ぜんまいばね８４によって付勢されており、反時計回りの最終位置にある電極チップ７０Ｂが押圧ピース８３によって付勢されると、先頭位置にある電極チップ７０Ａまで、全ての電極チップ７０が押圧される。
先頭の電極チップ７０Ａの位置は、電極チップ７０Ａが抜き取られる位置であり、溶接ガンのシャンクが進入する位置である。天側カバー８１は、この電極チップ７０Ａに対応する部分が切り欠かれ、取出し口８２が形成されている。シャンクが差し込まれると、電極チップ７０Ａはシャンクの先端に嵌合され、シャンクが後退することにより、電極チップ７０Ａは電極チップ用マガジン８０から取り出される。
【０００８】
つまり、電極チップ７０Ａが位置する先頭位置は、次に抜き取られる交換待ちの位置であり、電極チップ７０Ａが抜き取られると、複数の電極チップ７０の全体がその外径に相当する長さを移動して、先頭から２番目に位置していた電極チップ７０が先頭位置に移り、交換待ちの状態となる。最後に、最終位置にある電極チップ７０Ｂが交換待ちの状態となり、これが抜き取られると電極チップ用マガジン８０が空の状態となる。
【０００９】
収納路９０に並んだ電極チップ７０は、取出し口８２に向かって移動する際に、それぞれ先端７１が底壁部９１に、外周面７４が外周側壁部９２及び内周側壁部９３に摺動した状態で移動させられる。そして、内周側壁部９３の側では、電極チップ７０は、ぜんまいばね８４とは接触することなく移動され、先端７１が先端側案内面９５に、元部７２が元部側案内面９６に摺動した状態で移動させられる。この結果、これらの電極チップ７０を安定して取出し口８２に順次配置させることが可能となる。
【００１０】
一般的に、溶接作業を繰り返し行うと、電極チップの先端が変形・摩耗したり、ワークの金属が付着したりするなどし、安定した溶接作業が困難となり溶接不良が生じる。このため、定期的に電極チップ７０の表面を研削・研磨等により整形する必要があり、整形作業を行うために電極チップ７０を定期的に交換することが必要となっている。整形された電極チップは、新品よりは全長が短くなるが、使用限界に至っていなければ、再度溶接作業に使用することができる。
【００１１】
しかしながら、整形後の電極チップが未使用の電極チップ７０とともに電極チップ用マガジン８０に装填されることによって、さまざまな全長の電極チップ７０が存在することとなり、これにより電極チップ７０同士の当接面積にばらつきが生じ、それぞれの電極チップ７０が受ける押圧ピース８３からの付勢力が均等にかからなくなるために電極チップ７０が傾き易くなり、収納路９０の途中や取出し口８２で傾斜・転倒してしまい、電極チップ７０を適切に取出し口８２に供給できなくなる。また、電極チップ７０と収納路９０との当接面積にもばらつきが生じるためにそれぞれの摩擦力が異なることとなり、電極チップ７０が収納路９０に引っ掛かり易くなり、収納路９０の途中や取出し口８２で傾斜・転倒してしまい、電極チップ７０を適切に取出し口８２に供給できなくなる。このように、新品の電極チップ（電極チップの軸方向全長が全て同一の電極チップ）７０のみを装填したときには見られなかった新たな問題が発生していた。
【００１２】
また、特許文献１および特許文献２のように電極チップ同士が当接して配置される電極チップ用マガジンのほかに、特許文献３のように電極チップを独立して収納する形式もある。この形式は電極チップ同士が当接することなく、溶接キャップＫ（電極チップ）を保持したドラム状キャップ保持体３１をその中心に設けられたコイルばねによって回転させ溶接キャップＫをアクセス開口４０（取出し口）まで移動させる。ドラム状キャップ保持体３１のマガジン蓋４に形成されたアクセス開口４０にストッパー３２を設け、回動してきた溶接キャップＫがストッパ３２に当接することによりアクセス開口４０に溶接キャップＫを位置させるものである。
【００１３】
しかしながら、電極チップを収納する収納孔の深さ（ドラム状キャップ保持体３１の軸方向における厚み）が一律であるために、整形後の電極チップが収納孔の深さよりも短い場合は、電極チップがまだ使用可能な状態であっても収納孔に埋もれてしまい、ストッパーに当たらずに取出し口を通過してしまうこととなり、整形後の電極チップの再利用ができない。逆に、使用限界に極めて近い長さの整形後の電極チップを基準に収納孔の高さを設定したとすると、新品の電極チップや比較的全長が長い電極チップに関しては、収納孔から露出する面積が増加してしまうために、すなわち保持孔による電極チップの保持面積が減少してしまうために、取出し口において新品の電極チップや比較的全長が長い電極チップにストッパーが当たった際に、電極チップが収納孔から浮上・傾斜・抜け落ちなどその保持が不安定となり、その結果、電極チップ用マガジンの動作が停止してしまう。
【００１４】
また、特許文献２、特許文献３の電極チップ用マガジンは、電極チップを装填する際にマガジン本体の蓋体（特許文献２：天側カバー８１、特許文献３：マガジン蓋４）を取り外すことになっており、電極チップの装填に手間が掛るという問題がある。蓋体を取り外すことなく取出し口から装填することも不可能ではないが、指先による無理な作業となる。また、特許文献２のように収納路を有する場合、収納路９０内に異物が紛れ込んだ場合には、天側カバー８１を取り外さなければ異物に気づく機会がないために、電極チップの傾斜や移動不能等のトラブルを起こし易くなる。
【００１５】
さらに、電極チップ用マガジンの固定装置への取り付けは、特許文献２においては取付治具８５の取付ピン８６によって行なわれ、特許文献３においてはマガジン蓋４がアクセス開口４０に対向した位置で蝶番支持片４７に枢着されることによって取り付けが行われている。しかし、シャンクの進入による外力を受けると、取付ピン８６や蝶番支持片４７に過大な応力が作用して取出し口（アクセス開口４０）の位置が予め位置合わせを行った位置から変化することがあり、電極チップ７０の交換時に作動不能が発生する問題がある。
【先行技術文献】
【特許文献】
【００１６】
【特許文献１】特開２００２−７９３８１号公報
【特許文献２】特開２０１３−５９７８２号公報
【特許文献３】特表２００９−５０２５１８号公報
【発明の概要】
【発明が解決しようとする課題】
【００１７】
本発明の目的は、再使用の電極チップ７０が装填された場合でも、全ての電極チップ７０が取出し口に向かって確実に移動し、取出し口に正確に位置する電極チップ用マガジンを提供することにある。また、固定装置への取り付けと取り外しが容易な電極チップ用マガジンを提供することにある。
【課題を解決するための手段】
【００１８】
本発明の請求項１に係る電極チップ用マガジンは、抵抗溶接機で用いる電極チップを交換するために、複数の交換用電極チップを収納するとともに所定の位置から順次取り出すことができる電極チップ用マガジンであって、前記電極チップを挿入できる収納孔を同一円周上に複数有するハウジングと、前記円の中心を軸心として前記ハウジングに回動可能に取り付けられる表側部材と、前記ハウジングと前記表側部材とを連結して前記回動を一方向に付勢する付勢部材とを備え、かつ、前記表側部材が、前記電極チップの取出し口を備えるとともに前記ハウジングの側に突出するストッパーを備え、前記ハウジングに、隣り合う前記収納孔を連通する連絡溝を形成し、前記連絡溝は、前記ストッパーの一部が前記連絡溝内を通過可能に形成され、前記方向の先頭に位置する電極チップを前記ストッパーに当接させることによって、前記回動を停止させるとともに、前記先頭の電極チップを前記取出し口に位置させるという手段を採用している。
【００１９】
また、本発明の請求項２に係る電極チップ用マガジンは、請求項１に記載の電極チップ用マガジンであって、前記連絡溝は円環状の溝であり、その中心軸は前記ハウジングおよび前記表側部材の回転軸と同軸であるという手段を採用している。
【００２０】
また、本発明の請求項３に係る電極チップ用マガジンは、請求項１又は２に記載の電極チップ用マガジンであって、前記ハウジングが前記円周上に係止部を備え、最後に位置する電極チップが取り出されたときに、前記係止部を前記ストッパーに当接させることによって、前記回動を停止させる手段を採用している。
【００２１】
また、本発明の請求項４に係る電極チップ用マガジンは、抵抗溶接機で用いる電極チップを交換するために、複数の交換用電極チップを収納して固定装置に取り付けられる電極チップ用マガジンであって、前記電極チップが同一円周上に複数装填されるハウジングと、前記ハウジングを挟んで位置する表側部材及び裏側部材を備え、前記表側部材、前記裏側部材又は前記固定装置の少なくとも一つにガイド部材を設け、前記表側部材及び前記固定装置又は前記裏側部材及び前記固定装置の少なくとも一方にロック部材を備えることにより、前記固定装置の所定の位置に固定させる手段を採用している。
【００２２】
また、本発明の請求項５に係る電極チップ用マガジンは、請求項４に記載の電極チップ用マガジンであって、前記ロック部材は、付勢係合部材と係合溝からなる手段を採用している。
【発明の効果】
【００２３】
本発明の電極チップ用マガジンは、複数の交換用電極チップが、ハウジングに設けられた収納孔に１個ずつ収納され、取出し口を備える表側部材に対して付勢部材で付勢されたハウジングが回動する構造としている。このため、電極チップを傾斜させることなく移動させることが可能であり、全ての電極チップを順次正確に取出し口に位置させることができる。
また、隣り合う収納孔を連通する連絡溝をストッパーの通路とすることによって、電極チップとストッパーの当接部分を長くすることが可能となり、再使用の電極チップが装填された場合でも、取出し口に正確に位置させることができる。
また、連絡溝を円環状とし、その中心軸をハウジングおよび表側部材の回転軸と同軸とすることにより、連絡溝内をストッパーがスムーズに移動することができ、確実に全ての電極チップを取出し口に位置させることができる。
また、ハウジングが円周上に係止部を備えることによって、最後の電極チップが取り出されたときに、係止部がストッパーに当接して、ハウジングの回動を直ちに停止させることができる。
また、表側部材、裏側部材又は固定装置の少なくとも一つにガイド部材を設け、前記表側部材及び前記固定装置又は前記裏側部材及び前記固定装置の少なくとも一方にロック部材を設けることによって、電極チップ用マガジンの固定装置への取付け及び固定を容易かつ確実に行うことができる。
また、ロック部材を付勢係合部材と係合溝とすることによって、電極チップ用マガジンの固定装置への取付け及び固定をワンタッチでより容易に行うことができる。
【図面の簡単な説明】
【００２４】
【図１】本発明の電極チップ用マガジンの概要を示し、（ａ）は概略平面図、（ｂ）は概略側面図である。
【図２】本発明の電極チップ用マガジンの内部構造を示し、（ａ）は（ｂ）のＢ−Ｂ矢視における概略平面図、（ｂ）は（ａ）のＡ−Ａ矢視における概略断面図である。
【図３】ハウジングの構造を示し、（ａ）は概略平面図、（ｂ）は（ａ）のＣ−Ｃ矢視概略断面図、（ｃ）は（ａ）のＤ矢視概略断面図である。
【図４】カバーの構造を示し、（ａ）は概略平面図、（ｂ）は（ａ）のＥ−Ｅ矢視概略断面図である。
【図５】付勢部材ケースの構造を示し、（ａ）は概略平面図、（ｂ）は概略正面図、（ｃ）は（ａ）のＦ−Ｆ矢視概略断面図である。
【図６】固定軸の構造を示し、（ａ）は概略断面図、（ｂ）は概略裏面図、（ｃ）はロック部材の一部の外観図である。
【図７】固定装置の構造を示し、（ａ）は概略平面図、（ｂ）は概略側面図である。
【図８】電極チップと収納孔との関係を示し、（ａ）は電極チップの概略平面図及び概略側面図、（ｂ）は連絡溝と電極チップとの説明図である。
【図９】従来の電極チップ用マガジンを示し、（ａ）は概略断面図であり、（ｂ）は天側カバーを取り外した状態での概略平面図である。
【発明を実施するための形態】
【００２５】
本発明の電極チップ用マガジンの概要を図１により説明する。
複数の電極チップ７０が装填された電極チップ用マガジン１は、固定装置６０に装着された状態で使用される。固定装置６０は、上下に板状をなす一対の保持部６１、６２を備えており、電極チップ用マガジン１の表側部材５及び裏側部材６を、両保持部６１、６２の間に挟持させて固定するようになっている。
【００２６】
図１では、電極チップ７０の取出し口２２を上に向けた場合を示しているが、実際は、取出し口２２を上に向けたものと、下に向けたものとを２個並べて使用することが多い。
そして、図示していないが、電極チップ用マガジン１の近傍に電極チップ７０の有無を感知するセンサーが設けられ、電極チップ７０が電極チップ用マガジン１に装填されていることを常に確認している。空の状態になると、警報などによって電極チップ７０の再装填が促される。再装填は、電極チップ用マガジン１を固定装置６０から取り外して行われる。
【００２７】
図２により、電極チップ用マガジン１の内部構造を説明する。
電極チップ用マガジン１は、電極チップ７０を１個挿入できる収納孔１１を同一円周上に複数有するハウジング１０と、この円の中心を軸心としてハウジング１０に回動可能に取り付けられる表側部材５（カバー２０及び付勢部材ケース３０）と、ハウジング１０と表側部材５とを連結して回動を一方向に付勢する付勢部材５０を備えている。これによって、ハウジング１０は付勢される。そして、回動可能とするために、付勢部材ケース３０には固定軸４０が設けられ、固定軸４０とハウジング１０との間に軸受５５が設けられている。ここではハウジング１０が付勢部材５０によって反時計回りに付勢されているが、付勢方向はこれに限らない。また、付勢部材５０としてぜんまいばねを用いて説明するが、コイル式などのばねや重錘なども適用可能である。
【００２８】
付勢された電極チップ７０は、付勢された方向の先頭に位置する電極チップ７０から順次取り出される。次に取り出される電極チップ７０は、常に、取出し口２２に位置しなければならない。このため、表側部材５となるカバー２０は、電極チップ７０の取出し口２２を備えるとともに、ハウジング１０の側に向かって突出するストッパー２３を備えている。そして、先頭に位置する電極チップ７０がストッパー２３に当接することによって、ハウジング１０の回動を停止させ、その電極チップ７０を取出し口２２に位置させるようにしている。
【００２９】
図４により、カバー２０の構造を説明する。
カバー２０は、リング状のカバー板２１に、カバー板２１の面方向に直交する方向に向かって突出するストッパー２３を備えている。また、カバー２０は、付勢部材ケース３０とともに表側部材５を形成するので、付勢部材ケース３０に固定するためにネジ孔２４が設けられている。
取出し口２２及びストッパー２３は、相互に近接して設けられ、付勢される方向の先頭に位置している電極チップ７０がストッパー２３に当接したときに、その電極チップ７０が取出し口２２に位置するようになっている。また、取出し口２２及びストッパー２３は、複数の収納孔１１と同一円周上に位置するようにカバー２０に設けられている。
【００３０】
図３により、ハウジング１０の構造を説明する。
ハウジング１０は、同一円周上に複数の収納孔１１を備えるとともに、隣り合う収納孔１１が連絡溝１２によって連通されている。電極チップ７０を一つ一つ収納孔１１に収納することによって、電極チップ７０を傾斜させることなく移動させることが可能であり、順次正確に取出し口２２に位置させることができる。また、隣り合う収納孔１１が連絡溝１２によって連通し、ストッパー２３の一部が連絡溝１２内を通過可能に形成することによって、図８（ｂ）に示すように、ストッパー２３の先端部を連絡溝１２内に位置させて、電極チップ７０の外周面７４に確実に当接させることができる。また、連絡溝１２は、円環状をなしており、その中心軸はハウジング１０および表側部材５の回転軸と同軸となるように形成されている。
【００３１】
ハウジング１０の中央下部には軸受箱１４が形成されており、ここに軸受５５を位置させることができる。また、中央上部には筒状の突出部１３が形成されており、内部を固定軸４０が貫通するようになっている。突出部１３には、ぜんまいばね５０の内側端部を固定するために雌ネジ１６が形成されている。突出部１３の外側には空間１５が形成され、ここに、ぜんまいばね５０を収納することができる。なお、各収納孔１１には、電極チップ７０の交換時に抵抗溶接機のアームやシャンクを冷却するための冷却水が入り易いので、液抜きの開口１９が設けられている。
【００３２】
ハウジング１０は、収納孔１１が配置される同一円周上であって付勢される方向の最後に位置する収納孔１１よりもさらに後方の位置に、ストッパー２３に当接することができる係止部１７を備えていることが好ましい。係止部１７を備えることにより、最後の電極チップ７０が取り出されたときに、係止部１７がストッパー２３に当接して、ハウジング１０の回動を直ちに停止させることができる。
【００３３】
図５により、付勢部材ケース３０の構造を説明する。
付勢部材ケース３０は、筒状をなす内筒３１及び外筒３３と、これらの軸方向の一端に位置する表板３５からなる有蓋円筒状をなしている。内筒３１、外筒３３および表板３５によって形成される空間３８にぜんまいばね５０を位置させるようになっており、ハウジング１０の空間１５と付勢部材ケース３０の空間３８とでぜんまいばね５０を収容する。また、付勢部材ケース３０はカバー２０とともに表側部材５を形成している。
内筒３１には、その内側面（付勢部材ケース３０の中心軸側の面）に固定軸４０を位置させて固定するために、雌ネジ３２が形成されている。また、外筒３３には、ぜんまいばね５０の外側端部を固定するために、雌ネジ３４ａ及び開口３４ｂが形成されている。また、表板３５には、カバー２０を取り外し可能に取り付けるために、雌ネジ３９が複数設けられている。
【００３４】
表板３５は、表側部材５の一部をなしている。そして、電極チップ用マガジン１を固定装置６０に装着するときには、表板３５の外表面を保持部６１の内表面に摺動させて差し込むために、表板３５には、ガイド部材３６ａ、３６ｂ、３７が設けられている。すなわち、電極チップ用マガジン１は、ガイド部材３６ａ、３６ｂに案内されて差し込まれ、ガイド部材３７によって所定の位置に固定することができる。
【００３５】
図６により、固定軸４０について説明する。
固定軸４０は、鍔部４１及び軸部４２を備え、表側部材５（カバー２０及び付勢部材ケース３０）に一体に固定されるとともに、軸受５５を介してハウジング１０を回動可能に取り付ける部材である。なお、鍔部４１は、電極チップ用マガジン１の裏側部材６を形成している。
固定軸４０を付勢部材ケース３０に固定するために、軸部４２の一端には雄ネジ４３が形成され、付勢部材ケース３０の雌ネジ３２と螺合させて取り付ける。ここでは付勢部材ケース３０への固定軸４０の固定方式としてネジを開示しているが、例えば摩擦式締結やくさび結合などの他の固定方式も適用可能である。
【００３６】
軸部４２は、内部にロック部材を構成する付勢係合部材であるボールプランジャー４９を装着することにより、電極チップ用マガジン１を固定装置６０に装着するときに、所定の場所に、正確に位置させることができるようにしている。
すなわち、軸部４２の一端に、ボールプランジャー４９を収納する装着孔４５が設けられるとともに、装着孔４５から鍔部４１に向かって雌ネジ４６が設けられている。
【００３７】
図６（ｃ）に示すように、ボールプランジャー４９は、筒状部材の一端からボールの一部が突出した形状であり、内部にあるスプリングによってボールが押圧されている。このボールプランジャー４９は、挿入孔４５に差し込まれるとともに、雌ネジ４６に螺合される雄ネジによって軸方向の位置決めがなされる。なお、雄ネジを備えたボールプランジャーを用いて、雌ネジと螺合させて軸方向の位置決めを行うようにすることもできるが、ネジ螺合以外にも、ボールプランジャー４９が適切な高さとなるようにその長さが調整されたスペーサ等を挿入することにより位置決めを行うことも可能である。また、付勢係合部材としてボールプランジャー４９を用いているが、スプリングプランジャーなどの固定や位置決めができる他の付勢係合部材も適用可能である。
【００３８】
図７により、固定装置６０について説明する。
複数の電極チップ７０が装填された電極チップ用マガジン１は、固定装置６０に装着された状態で使用される。固定装置６０は、上下に板状をなす一対の保持部６１、６２を備えており、電極チップ用マガジン１の表側部材５及び裏側部材６を、両保持部６１、６２の間に挟持して固定するようになっている。固定装置６０は架台などに固定して用いられる。
また、保持部６１の内表面にはロック部材である係合溝６３が設けられており、この係合溝６３がボールプランジャー４９のボールを受け入れるようになっており、ボールプランジャー４９を係合溝６３に係合させることによって、電極チップ用マガジン１を固定装置６０に位置決めおよび固定している。なお、係合溝６３を直接保持部６１に設けずにボルト等の別部材とし、保持部６１の内表面にその係合溝６３を設けた別部材を固定することも可能である。
【００３９】
電極チップ用マガジン１を差し込むときは、付勢部材ケース３０に設けられたガイド部材３６ａ、３６ｂを、保持部６１の内側面に沿わせて前進させる。そして、ガイド部材３７を保持部６１の先端に当接させたとき、ボールプランジャー４９のボールが係合溝６８に落ち込むことによって、電極チップ用マガジン１が固定装置６０に対して正確に配置され、取出し口２２が正確に位置されることになる。
【００４０】
このため、保持部６１、６２の内表面は滑らかな面に形成し、保持部６１の内表面と表側部材５との摺動、及び保持部６２の内表面と裏側部材６との摺動を滑らかにすることが好ましい。また、固定装置６０の素材には弾性材料を用いるとともに、保持部６１、６２間の距離を電極チップ用マガジン１の回動軸方向長さよりもやや狭く形成して、両保持部６１、６２に更なる挟持力を持たせてもよい。
【００４１】
ガイド部材３６ａ、３６ｂ、３７及びロック部材であるボールプランジャー４９と係合溝６３については、上述の実施例のほかに、表側部材５、裏側部材６又は固定装置６０の少なくとも一つにガイド部材３６ａ、３６ｂ、３７を設け、表側部材５及び固定装置６０、又は裏側部材６及び固定装置６０の少なくとも一方にロック部材を設けるという条件を満たす設置であれば、上述の実施例と同様に、電極チップ用マガジン１の固定装置６０への取付け及び固定をワンタッチでより容易かつ確実に行うことができる。なお、固定装置６０にガイド部材３６ａ、３６ｂ、３７を設ける場合は、表側部材５又は裏側部材６を差し込めるように固定装置６０の保持部６１又は６２の内表面を部分的に切り欠くことによりガイド部材３６ａ、３６ｂ、３７とすることもできる。
【００４２】
本発明の電極チップ用マガジン１は、複数の交換用電極チップ７０が、ハウジング１０に設けられた収納孔１１に１個ずつ収納され、取出し口２２を備える表側部材５に対してぜんまいばね５０で付勢されたハウジング１０が回動する構造としている。このため、電極チップ７０を傾斜させることなく移動させることが可能であり、全ての電極チップ７０を順次正確に取出し口２２に位置させることができる。
また、隣り合う収納孔１１を連通する連絡溝１２をストッパー２３の通路とすることにより、電極チップ７０がストッパー２３に当接するときの当接部分を長くすることが可能となり、再使用の電極チップ７０が装填された場合でも、取出し口２２に正確に位置させることができる。
また、連絡溝１２を円環状の溝とし、その中心軸をハウジングおよび表側部材の回転軸と同軸とすることにより、連絡溝内をストッパーがスムーズに移動することができ、より確実に全ての電極チップ７０を取出し口２２に位置させることができる。
また、ハウジング１０が円周上に係止部１７を備えることによって、最後の電極チップ７０が取り出されたときに、係止部１７がストッパー２３に当接して、ハウジング１０の回動を直ちに停止させることができる。
【００４３】
また、表側部材５、裏側部材６又は固定装置６０の少なくとも一つにガイド部材３６ａ、３６ｂ、３７を設け、表側部材５及び固定装置６０又は裏側部材６及び固定装置６０の少なくとも一方にロック部材を設けることによって、電極チップ用マガジン１の固定装置６０への取付け及び固定を容易に、確実に行うことができる。
また、ロック部材をボールプランジャー４９などの付勢係合部材と係合溝６３とで構成することによって、電極チップ用マガジン１の固定装置６０への取付け及び固定をワンタッチでより容易に行うことができる。
【符号の説明】
【００４４】
１……電極チップ用マガジン
５……表側部材
６……裏側部材
１０……ハウジング
１１……収納孔
１２……連絡溝
１７……係止部
２２……取出し口
２３……ストッパー
３６ａ、３６ｂ、３７……ガイド部材
４９……ボールプランジャー
５０……ぜんまいばね
６０……固定装置
６３……係合溝
７０……電極チップ
【図１】
2015120173.tif 000003
【図２】
2015120173.tif 000004
【図３】
2015120173.tif 000005
【図４】
2015120173.tif 000006
【図５】
2015120173.tif 000007
【図６】
2015120173.tif 000008
【図７】
2015120173.tif 000009
【図８】
2015120173.tif 000010
【図９】
2015120173.tif 000011